(57)【特許請求の範囲】
【請求項１】
主回路と、前記主回路の故障を検知するアラーム回路と、故障時に前記アラーム回路からの信号により点灯する高輝度ＬＥＤからなる回路基板を複数備えた回路基板収容装置であって、
故障時に前記高輝度ＬＥＤから発光した光を透過し、故障に関連する情報が形成された情報形成部と、
前記情報形成部に形成された情報を被投影体に拡大投影する光学手段と、
作業者によって前記高輝度ＬＥＤの前面に前記被投影体としてかざされる表示板と、を備える、
ことを特徴とする回路基板収容装置。
【請求項２】
前記故障に関連する情報には、前記回路基板の情報も含む、ことを特徴とする請求項１に記載の回路基板収容装置。
【発明の詳細な説明】
【技術分野】
【０００１】
本発明は、回路基板収容装置等の故障発生時に故障の発生を表示する回路基板収容装置に関する。
【背景技術】
【０００２】
回路基板収容装置は、その回路基板収容装置に応じた動作があり、この動作を行うための主回路を備えている。この主回路に故障が発生した時には、故障をアラーム回路が検知し、作業者や保守点検者などに故障の発生を通知している（例えば、特許文献１参照。）。例えば、通信装置では、主回路に故障が発生した時には、故障をアラーム回路が検知し、高輝度ＬＥＤなどが点灯することで故障の発生を通知している。また、通信装置によっては、パソコンに故障の詳細を表示する故障表示装置や故障データを外部に送信する外部監視装置を備えているものもある。
【特許文献１】特開２００１−３０５６５４号公報
【発明の開示】
【発明が解決しようとする課題】
【０００３】
しかしながら、高輝度ＬＥＤが点灯するだけでは、故障内容の詳細を把握できなかった。また、故障表示装置を備えている場合でも、故障表示装置が故障している場合には、故障内容の詳細を把握することができなかった。そのような場合には、取扱説明書などで故障内容の詳細を把握しなければならず、故障内容の詳細を把握するのに手間がかかっていた。また、外部監視装置を備えている場合でも、外部監視装置の作業員などに連絡を取らなければ故障内容の詳細を把握できず、すぐに故障内容の詳細を把握することができなかった。
【０００４】
そこで本発明は、故障発生時に故障している回路基板収容装置の前で故障内容の詳細を把握することができる回路基板収容装置を提供することを目的とする。
【課題を解決するための手段】
【０００５】
前記課題を解決するために、請求項１に記載の発明は、主回路と、前記主回路の故障を検知するアラーム回路と、故障時に前記アラーム回路からの信号により点灯する高輝度ＬＥＤからなる回路基板を複数備えた回路基板収容装置であって、故障時に前記高輝度ＬＥＤから発光した光を透過し、故障に関連する情報が形成された情報形成部と、前記情報形成部に形成された情報を被投影体に拡大投影する光学手段と、作業者によって前記高輝度ＬＥＤの前面に前記被投影体としてかざされる表示板と、を備える、ことを特徴とする回路基板収容装置である。
【０００６】
請求項１に記載の発明によれば、主回路が故障すると高輝度ＬＥＤが点灯し、その光が情報形成部を透過して、光学手段によって被投影体に故障に関連する情報が拡大投影される。
【０００８】
請求項２に記載の発明は、請求項１に記載の回路基板収容装置において、前記故障に関連する情報には、前記回路基板の情報も含む、ことを特徴としている。
【発明の効果】
【０００９】
請求項１に記載の発明によれば、故障時に被投影体を高輝度ＬＥＤの前面にかざすことで、故障に関連する情報が被投影体に拡大投影されるため、作業者などが故障している回路基板収容装置の前で故障に関する情報を把握することができる。このため、故障発生時に、すぐに故障の復旧作業にとりかかることができる。
【００１１】
請求項２に記載の発明によれば、故障に関連する情報に基板情報も含まれているため、作業者が回路基板の情報も把握することができ、回路基板によって復旧作業が異なる場合でも、間違えることなく復旧作業にとりかかることができる。
【発明を実施するための最良の形態】
【００１２】
以下、本発明を図示の実施の形態に基づいて説明する。
【００１３】
（実施の形態１）
図１は、この実施の形態に係わる通信装置（回路基板収容装置）１の斜視図である。この通信装置１は、複数の回路基板２を備え、回路基板２ごとに他の通信装置などと通信を行うものである。回路基板２は、主として、データの送受信などを行う主回路と、主回路の故障を検知するアラーム回路から構成されている。また、回路基板２は、図２に示すように、通信装置１に取り付けられるコネクタ３と、回路基板２の故障状態などを表示するパネル４と、故障の情報を拡大投影する故障装置５を備えている。パネル４には、複数の高輝度ＬＥＤ４Ａがパネル４から突出するように設けられ、故障時にアラーム回路からの信号により高輝度ＬＥＤ４Ａが点灯するようになっている。
【００１４】
投影装置５は、主回路の故障内容を拡大投影するものであり、図３に示すように、各高輝度ＬＥＤ４Ａに取り付けられ、コンデンサレンズ６と、情報形成部７と、投影レンズ（光学手段）８を備えている。
【００１５】
コンデンサレンズ６は、高輝度ＬＥＤ４Ａから光を集光して効率よく利用し、情報形成部７に均一に光を照らすものである。また、コンデンサレンズ６は、高輝度ＬＥＤ４Ａの前面側（図３中左側）に、高輝度ＬＥＤ４Ａから発光した光を透過するように大きさや位置が設定されている。つまり、高輝度ＬＥＤ４Ａから発光した光が十分にコンデンサレンズ６に当たるように大きさ、位置が設定されている。
【００１６】
情報形成部７は、フィルムなどの素材にマイクロ印刷などすることによって、故障に関連する情報が形成されている。この故障に関連する情報は、主回路の故障内容の詳細だけではなく、復旧手順や回路基板２などの情報も含まれている。例えば、
「ＡＬＭ故障詳細
ユニットＣＰＵ不良です。回路基板を交換する必要あります。
［注意］
回路基板のバージョンは、１．０３です。
他のバージョンは本装置に実装することは出来ません。」
のように、具体的な故障内容の詳細や復旧手順などが含まれている。また、情報形成部７は、コンデンサレンズ６の前面側に設置され、かつ、コンデンサレンズ６からの光を透過するように大きさや位置が設定されている。つまり、高輝度ＬＥＤ４Ａから発光した光がコンデンサレンズ６を介して、情報形成部７に照射されるように情報形成部７の大きさ、位置などが設定されている。
【００１７】
投影レンズ８は、情報形成部７に形成された情報を後述する表示板９などに拡大投影するもので、情報形成部７の前面側に設置され、かつ、情報形成部７を透過した光を拡散し、表示板９などに投影するように大きさや位置が設定されている。また、投影レンズ８は、収差によって色がにじむのを防止するアクロマートレンズやアポクロマートレンズを用いてもよい。
【００１８】
上述したコンデンサレンズ６と情報形成部７と投影レンズ８とが本体５Ａによって支持されている。本体５Ａは、略円筒形で、高輝度ＬＥＤ４Ａに配設され、例えば、本体５Ａの内側に設けられた３つの溝（図示せず）に、コンデンサレンズ６と情報形成部７と投影レンズ８がそれぞれ嵌合することによって、コンデンサレンズ６と情報形成部７と投影レンズ８とを支持するようになっている。
【００１９】
次に、このような構成の通信装置１の作用などについて説明する。
【００２０】
まず、主回路に故障が発生したとき、アラーム回路が主回路の故障を検知する。そして、アラーム回路からの信号により、高輝度ＬＥＤ４Ａが点灯する。この状態で、図４に示すように、作業者などが表示板（被投影体）９を高輝度ＬＥＤ４Ａの前面にかざす。ここで、表示板９は、情報形成部７に形成された情報を映し出すものであればよく、例えば半透明のプラスチックなどの素材から構成されているものでよい。このとき、図４、５に示すように、高輝度ＬＥＤ４Ａから発光した光がコンデンサレンズ６を透過することによって、光が一方向に集光される。そして、コンデンサレンズ６を透過した光は、情報形成部７を透過する。その後、情報形成部７を透過した光は、投影レンズ８によって拡散し、情報形成部７に形成された情報を表示板９の表面側に拡大投影する。そして、作業者などは、投影された情報を表示板９の表面側から見て、知得する。
【００２１】
以上のように、この実施の形態の通信装置１によれば、表示板９を高輝度ＬＥＤ４Ａの前面にかざすことで、情報形成部７の情報が表示板９に拡大投影されるため、作業者などは、取扱説明書（マニュアル）などを見ることなく、その場ですぐに故障に関する情報を把握することができる。また、情報形成部７に形成された故障に関連する情報には、回路基板２の情報や復旧手順などが記されているので、復旧手順の確実性や迅速性を図ることができる。
【００２２】
（実施の形態２）
この実施の形態の通信装置１０は、実施の形態１の通信装置１の回路基板２の前面にカバー１１を取り付けたもので、実施の形態１と同等の構成または相当する構成については、同一符号を付することで、その説明を省略する。
【００２３】
図６は、通信装置１０の斜視図である。カバー１１は、回路基板２を保護し、情報形成部７に形成された情報を映し出すものである。また、カバー１１は、複数の回路基板２の前面を覆うように配設され、情報形成部７の情報が容易に目視できるように回路基板２からの距離が設定されている。さらに、カバー１１は、例えば、半透明の強化プラスチックなどの素材から構成され、通信装置１０から取り外し自在となっている。
【００２４】
次に、このような構成の通信装置１０の作用などについて説明する。
【００２５】
まず、主回路に故障が発生したとき、アラーム回路が主回路の故障を検知する。そして、アラーム回路からの信号により、高輝度ＬＥＤ４Ａが点灯する。このとき、図５、６に示すように、高輝度ＬＥＤ４Ａから発光した光がコンデンサレンズ６を透過することによって、光が一方向に集光される。そして、コンデンサレンズ６を透過した光は、情報形成部７を透過する。その後、情報形成部７を透過した光は、投影レンズ８によって拡張し、情報形成部７に形成された情報をカバー１１の表面側に拡大投影する。そして、作業者などは、投影された情報をカバー１１の表面側から見て、知得する。
【００２６】
以上のように、この実施の形態の通信装置１０によれば、故障に関連する情報が回路基板２の前面にあるカバー１１に投影されるので、作業者などが表示板９を所持する必要がなく、故障の発生と同時に故障に関連する情報を知得できる。
【００２７】
以上、この発明の実施の形態を詳述してきたが、具体的な構成は上記の実施の形態に限られるものではなく、この発明の要旨を逸脱しない範囲の設計の変更等があっても、この発明に含まれる。例えば、上記の実施の形態では、コンデンサレンズ６を使用しているが、高輝度ＬＥＤ４Ａの光の強さなどによっては無くても良い。また、投影レンズ８は、１枚使用しているが、１枚に限られるものではなく、高輝度ＬＥＤ４Ａと情報形成部７との距離、情報形成部７と投影レンズ８との距離などによっては２枚以上設けても良い。
【図面の簡単な説明】
【００２８】
【図１】本発明の実施の形態１に係わる通信装置の斜視図である。
【図２】図１の通信装置の回路基板の斜視図である。
【図３】図２の回路基板の高輝度ＬＥＤと故障装置を示す側面（一部断面）図である。
【図４】図２の回路基板の高輝度ＬＥＤが点灯し、表示板に情報が拡大投影された状態を示す図である。
【図５】図３において高輝度ＬＥＤが点灯したときの光の流れを示す図である。
【図６】本発明の実施の形態２の通信装置の斜視図であり、図６（ａ）は全体図であり、図６（ｂ）は、図６（ａ）のＡ部分の拡大図である。
【符号の説明】
【００２９】
１、１０    通信装置（回路基板収容装置）
２          回路基板
３          コネクタ
４          パネル
４Ａ        高輝度ＬＥＤ
５          投影装置
５Ａ        本体
６          コンデンサレンズ
７          情報形成部
８          投影レンズ（光学手段）
９          表示板（被投影体）
１１        カバー
【図１】
0005014265.tif 000002
【図２】
0005014265.tif 000003
【図３】
0005014265.tif 000004
【図４】
0005014265.tif 000005
【図５】
0005014265.tif 000006
【図６】
0005014265.tif 000007